【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】  ｂ1) 下記ｂ1.1)〜ｂ1.5) からなる群から選択される１種またはそれ以上の芳香族ベースの界面活性剤、
ｂ1.1) １〜５０個のエチレンオキシ単位を有する（ポリ）エトキシル化フェノール、
ｂ1.2) １〜１５０個のエチレンオキシ単位を有する（ポリ）アルキルフェノール、
ｂ1.3) １〜１５０個のエチレンオキシ単位を有する（ポリ）アリールフェノール、
ｂ1.4) ｂ1.1)〜ｂ1.3) に記載した分子とリン酸との反応生成物を形式的に表す化合物、および好適な塩基で中和されたそれらの塩、
ｂ1.5) 酸性であり、そして好適な塩基で中和された（ポリ）アルキル−および（ポリ）アリールベンゼンスルホネート、および
ｂ2) 下記ｂ2.1)〜ｂ2.2) からなる群から選択される、溶剤としての、１種またはそれ以上の完全にエステル化された有機リン酸エステルおよび／またはホスホン酸エステル、
ｂ2.1) リン酸とアルコールとのエステルであって、下記アルコール、
- ５〜２２個の炭素原子を有する１価アルカノール、
- ジオールまたはポリオール、
- アリール−、アルキルアリール−、ポリ（アルキル）アリール−またはポリ（アリールアルキル）アリールアルコール、
- 上記アルコールとアルキレンオキサイドとの反応により得られるアルコキシル化アルコール、または
- １〜４個の炭素原子を有する１価アルカノールとアルキレンオキサイドとの反応により得られるアルコキシル化アルコール
とのリン酸エステル、
ｂ2.2) アルコールおよび／またはアルコキシル化アルコールでジエステル化されたアルキル−、アリール−、アルキルアリール−、ポリ（アルキル）アリール−またはポリ（アリールアルキル）アリールホスホン酸ベースのホスホン酸エステルであって、それぞれのアルコール成分としてのアルコールが、
- １〜２２個の炭素原子を有する１価アルカノール、
- ジオールまたはポリオール、
- アリール−、アルキルアリール−、ポリ（アルキル）アリール−またはポリ（アリールアルキル）アリールアルコール、または
- 上記アルコールとアルキレンオキサイドとの反応により得られるアルコキシル化アルコール
からなる群から選択される、ホスホン酸エステル、
ここで、前記リン酸エステルｂ2.1) の３つのアルコール成分または上記ホスホン酸エステルｂ2.2) の２つのアルコール成分は、同一でも異なってもよく、そしてそのエステルは、水不溶性または２０℃で５ｇ／Ｌまで水溶性である極性溶剤であり、そしてさらに水溶液中でミセル凝集体を形成しないように選択される、
を含むことを特徴とする液体有機処方物のための界面活性剤／溶剤系。
【請求項２】  ｂ1.1) １〜１０個のエチレンオキシ単位を有する（ポリ）エトキシル化フェノール、
ｂ1.2) １〜５０個のエチレンオキシ単位を有する（ポリ）アルキルフェノール、
ｂ1.3) １〜１５０個のエチレンオキシ単位を有する（ポリ）アリールフェノール、
ｂ1.4) ｂ1.1)〜ｂ1.3) に記載した分子とリン酸との反応生成物を形式的に表す化合物、および好適な塩基で中和されたそれらの塩、
ｂ1.5) 酸性であり、そして好適な塩基で中和された（ポリ）アルキル−および（ポリ）アリールベンゼンスルホネート、
からなる群から選択される１種またはそれ以上の芳香族ベースの界面活性剤を含むことを特徴とする、請求項１に記載の界面活性剤／溶剤系。
【請求項３】  - ４〜１０モルのエチレンオキサイドと反応させたフェノール、
- ４〜５０モルのエチレンオキサイドと反応させたトリイソブチルフェノール、
- ４〜５０モルのエチレンオキサイドと反応させたノニルフェノール、
- ４〜１５０モルのエチレンオキサイドと反応させたトリスチリルフェノール、および
- 酸性の（線状）ドデシルベンゼンスルホネート
からなる群から選択される１種またはそれ以上の芳香族ベースの界面活性剤を含むことを特徴とする、請求項１に記載の界面活性剤／溶剤系。
【請求項４】  1〜５０モルのエチレンオキシドと反応させたトリ−ｎ−ブチルフェノール、トリ−ｓｅｃ−ブチルフェノールおよびトリイソブチルフェノールからなる群から選択される１種またはそれ以上の芳香族ベースの界面活性剤を含むことを特徴とする、請求項１に記載の界面活性剤／溶剤系。
【請求項５】  - アルキル基中に１〜２２個の炭素原子およびポリアルキレンオキシ部分中に１〜３０個のアルキレンオキシ単位を有する、アルコキシル化短鎖アルコールでトリエステル化されたオルトリン酸、
- ５〜２２個の炭素原子を有するアルキルアルコールでトリエステル化されたオルトリン酸、
- アルキル基中に１〜２２個の炭素原子を有する、場合によりアルコキシル化されたアルコールまたは場合によりアルコキシル化されたフェノール誘導体（各場合に、ポリアルキレンオキシ部分中に０〜３０個のアルキレンオキシ単位を有する）で部分エステル化されたオルトリン酸（ここで、オルトリン酸の残りのＯＨ原子価は後にアルコキシル化されている）、および
- 形式的にアルコールと２回反応させたｎ−オクチルホスホン酸のエステル
からなる群から選択される１種またはそれ以上の化合物を含むことを特徴とする、請求項１〜４のいずれかに記載の界面活性剤／溶剤系。
【請求項６】  溶剤成分ｂ2) としてトリ（ブトキシエチル）リン酸エステルを含むことを特徴とする、請求項１〜４のいずれかに記載の界面活性剤／溶剤系。
【請求項７】  成分ｂ1) ：成分ｂ2）を１００：１〜１：１００の重量比で含むことを特徴とする、請求項１〜６のいずれかに記載の界面活性剤／溶剤系。
【請求項８】  (ａ) １種またはそれ以上の水不溶性または５ｇ／Ｌまで水溶性の活性成分、
(ｂ) 請求項１〜７のいずれかに記載の界面活性剤／溶剤系（＝成分ｂ1) および成分ｂ2) からなる成分混合物(ｂ)）、
(ｃ) 場合により他の有機溶剤、
(ｄ) 場合により他の界面活性剤および／または重合体、および
(ｅ) 場合により水
を含む液体処方物。
【請求項９】  (ａ) １〜５０重量％の農薬活性成分、
(ｂ) ５〜８０重量％の成分混合物（ｂ）、
(ｃ) ０〜４０重量％の他の有機溶剤、
(ｄ) ０〜３０重量％の他の界面活性剤、
(ｅ) ０〜２０重量％の慣用の処方助剤、および
(ｆ) ０〜９４重量％の水
を含む請求項８に記載の液体処方物。
【請求項１０】  (ａ) １０〜４０重量％の１種またはそれ以上の水不溶性または５ｇ／Ｌまで水溶性の活性成分、
(ｂ) １０〜６０重量％の請求項１〜７のいずれかに記載の界面活性剤／溶剤系（＝成分ｂ1) および成分ｂ2) からなる成分混合物(ｂ)）、
(ｃ) ５〜３５重量％の他の有機溶剤、
(ｄ) １０〜２５重量％の他の界面活性剤、および
(ｅ) ０〜１０重量％の慣用の処方助剤
を含み、乳化可能な濃縮物であることを特徴とする、請求項８または９に記載の液体処方物。
【請求項１１】  殺草剤である desmedipham 、phenmedipham および ethofumesate の群から選択される１種またはそれ以上の活性成分を含むことを特徴とする、請求項８〜１０のいずれかに記載の液体処方物。
【請求項１２】  殺草活性成分を含む請求項８〜１１のいずれかに記載の液体処方物の有効量を、必要に応じて水で希釈した後に植物、植物部分または植物が成長する領域に適用することを特徴とする、望ましくない植物の成長を抑制する方法。